(57)【要約】【課題】  網目を根の肥大する力によって拡げることができ、樹木の生育が阻害されない法枠用網材を提供すること。【解決手段】  植生基材４を斜面６上に保持するための法枠用網材１ａ，１ｂであって、横材又は縦材の一方に波形加工した波線材２を使用し、前記波線材２に交差する線材の一部又は全部を直線材３としたことを特徴とするものである。  また、植生基材４を斜面６上に保持するための法枠用網材１ｃ，１ｄであって、交差する横材と縦材の一部の線材を他の線材より先に破断する破断性線材７としたことを特徴とするものである。【選択図】図１
2005090021.tif 000002
【特許請求の範囲】
【請求項１】
植生基材を斜面上に保持するための法枠用網材であって、
横材又は縦材の一方に波形加工した波線材を使用し、
前記波線材に交差する線材の一部又は全部を直線材としたことを特徴とする、
法枠用網材。
【請求項２】
植生基材を斜面上に保持するための法枠用網材であって、
交差する横材と縦材の一部の線材を他の線材より先に破断する破断性線材としたことを特徴とする、
法枠用網材。
【請求項３】
植生基材を斜面上に保持するための法枠用網材であって、
交差する横材又は縦材の少なくとも一方を、一列おきに他の線材より先に破断する破断性線材としたことを特徴とする、
法枠用網材。
【請求項４】
植生基材を斜面上に保持するための法枠用網材であって、
横材又は縦材の一方に波形加工した波線材を使用し、
前記波線材に交差する線材の一部又は全部を直線材とし、
前記波線材又は前記直線材の少なくとも一方の一部を破断性線材としたことを特徴とする、
法枠用網材。
【発明の詳細な説明】
【技術分野】
【０００１】
本発明は、植生基材を斜面上に保持し、木本類の植栽を可能にするための法枠用網材に関するものである。
【背景技術】
【０００２】
従来から斜面ｅに木本類の植栽をおこなうために、様々な形状又は構造の法枠を設置して、樹木ｂの生育に必要な植生基材ｄを保持させていた。
例えば、クリンプ金網やエキスパンドメタル等の網材ａを斜面ｅから突起するように設置し、網材ａと斜面ｅに囲まれた空間に植生基材ｄを投入して植栽をおこなう（図５参照）。また、複数の孔を設けたパンチメタル等の鋼板や樹脂板を網材ａに代えて使用することもある。
これらの法枠は、植生基材ｄの流出や侵食を防ぐ機能を有するため、網目の大きさや孔の大きさはこれらの機能を発揮できる大きさに限定される。
本願の出願人においても、様々な形状又は構造の法枠を開発し、植生基材を保持するための法枠として使用している。
【特許文献１】特開２００３−４１５９１号公報
【特許文献２】特開平０６−２９４１４１号公報
【発明の開示】
【発明が解決しようとする課題】
【０００３】
前記した従来の法枠用網材にあっては、次のような問題点がある。
＜１＞樹木ｂが生育して根ｃが伸長すると先端が法枠まで到達し、根ｃは法枠の網目又は孔を通過する。先端が飛び出した根ｃは網目等の大きさになるまでは順調に肥大するが、網目等の大きさは植生基材の流出を防ぐための小さなものであるため、根ｃの太さはすぐに網目等の大きさと同じになる。鋼板等に設けた孔は、根ｃの肥大する力によって拡がるよう弱い孔ではなく、根ｃは孔の大きさより太くなることはできないか、若しくは根ｃの途中から孔に喰い込んで締め付けられ先端が壊死してしまう。この結果、根ｃが充分に伸長・肥大することができず、樹木ｂの生育も望めない。
＜２＞網材ａの網目は根ｃの肥大によって変形し、少しは拡がることができるため、鋼板等の有孔板を配置するよりは樹木ｂの生育には良い。しかし、例えばクリンプ金網は、交差させる縦線と横線を波形加工し、波線材の凹部同士を噛み合わせることで網目の形状を強固に保持している。このため、根ｃが肥大しても充分に網目を拡げることはできず、樹木ｂの生育に影響を与えるおそれがある。
【課題を解決するための手段】
【０００４】
上記のような課題を解決するために、本発明の法枠用網材は、植生基材を斜面上に保持するための法枠用網材であって、横材又は縦材の一方に波形加工した波線材を使用し、前記波線材に交差する線材の一部又は全部を直線材としたことを特徴とするものである。
また、植生基材を斜面上に保持するための法枠用網材であって、交差する横材と縦材の一部の線材を他の線材より先に破断する破断性線材としたことを特徴とするものである。例えば、交差する横材又は縦材の少なくとも一方を、一列おきに他の線材より先に破断する破断性線材とすることができる。
さらに、植生基材を斜面上に保持するための法枠用網材であって、横材又は縦材の一方に波形加工した波線材を使用し、前記波線材に交差する線材の一部又は全部を直線材とし、前記波線材又は前記直線材の少なくとも一方の一部を破断性線材としたことを特徴とするものである。
【発明の効果】
【０００５】
本発明の法枠用網材は、上記した課題を解決するための手段により、次のような効果の少なくとも一つを得ることができる。
＜１＞本発明の法枠用網材の網目は、根の肥大する力によって拡げることができるため、樹木の生育が阻害されない。
＜２＞本発明の法枠用網材は、樹木が生育するまでは法枠本来の機能である植生基材を保持する機能を充分に発揮できる。
＜３＞法枠用網材であるため、様々な形状又は構造の法枠に適用することができる。
【発明を実施するための最良の形態】
【０００６】
以下、図面を参照しながら本発明の実施の形態について説明する。
【０００７】
＜１＞法枠用網材
法枠用網材１は、植生基材４を斜面６上に保持するために配置する網材である。法枠用網材１は、斜面６から突起するように配置し、背面又は法枠用網材１で囲繞された空間に植生基材４を配置する。
植生基材４は、植物の生育に必要な材料をいい、客土、肥料、砂利、木質繊維、侵食防止剤、又はこれらを混合したもの等が該当する。
【０００８】
＜２＞波線材
波線材２は、歯車等によって波形加工した線材をいう。通常のクリンプ金網は、横方向の波線材２ａと縦方向の波線材２ｂを直角に交差させ、編み込むことによって製作する。このクリンプ金網の交差部では、波線材の凹部同士が噛み合っているため、網目を拡げようとする力が働いたとしても交差部がずれることなく形状を保持することができる。
これに対して直線材３は、直線又は略直線状の線材をいう。略直線状の線材とは、完全に直線とはいえないが、曲線又は波形が緩やかであり、波線材２の凹部と噛み合うことのない形状の線材をいう。
【０００９】
＜３＞破断性線材
破断性線材７は、法枠用網材１を構成する他の線材より破断し易い線材である。例えば、設置直後は、通常の線材と同様に植生基材４を保持する性能を有するが、時間の経過によって劣化、腐食、又は分解して破断しやすくなる線材が該当する。また、線材の太さを他の線材よりも細くすることで破断し易くすることもできる。さらに、時間の経過によって破断しやすくなる線材の太さを調整することもできる。
例えば、通常のクリンプ金網に使用する線材は、亜鉛メッキをした鉄線を使用したり、ステンレス鋼線を使用したりすることで、腐食し難くしている。これに対して、破断性線材７は亜鉛メッキ等の防食処理を施さない鉄線などが該当する。
また、生分解性プラスチックなどを使用して線材を成形すれば、時間の経過と共に微生物によって分解して破断し易くなるため、破断性線材７として使用することができる。
【実施例１】
【００１０】
実施例１では、波線材２と直線材３を組み合わせて製作する法枠用網材１ａ，１ｂについて説明する。
前述したように通常のクリンプ金網は、波線材の凹部同士を噛み合わせることによって、交差部がずれることを防いでいる。本発明の法枠用網材１ａ，１ｂは、波線材２と直線材３を組み合わせることによって、交差部をずれ易くしている。
図１は、横材に波線材２ａを使用し、縦材に直線材３ｂを使用した実施例の斜視図である。交差部は波線材２ａと直線材３ｂの組み合わせになるため噛み合うことがなく、根５１が肥大して網目を拡げる力が作用すると、波線材２ａ，２ａが上下に移動して網目を拡げることができる。
ここで、すべての縦材を直線材３ｂにすると、運搬時や設置時に網目の形状が変化するおそれもあるため、直線材３ｂを１本〜複数本配置する毎に波線材２ｂを配置することもできる（図１参照）。こうすることで、運搬時や施工時の網目の形状の保持は、波線材２ｂと波線材２ａの噛み合わせによって確保することができる。
【００１１】
また、図２は、縦材に波線材２ｂを使用し、横材に直線材３ａを使用した法枠用網材１ｂを斜面６に配置した実施例の斜視図である。縦材に波線材２ｂを使用した場合も、縦材と横材が噛み合わないため、根５１の肥大する力によって網目を拡げることができる。
【実施例２】
【００１２】
実施例２では、破断性線材７を使用して製作する法枠用網材１ｃ，１ｄについて説明する。
図３は、横材として破断性線材７ａと波線材２ａを交互に配置した実施例の斜視図である。ここでは縦材に波線材２ｂを配置している。また、破断性線材７ａ以外の波線材２ａ，２ｂは、亜鉛メッキをするなどして防食加工を施す。このようにして製作した法枠用網材１ｃは、製作時は通常のクリンプ金網と同等の性能を有する。
通常、樹木５の根５１が伸長して法枠用網材１ｃまで到達し、網目の大きさよりも肥大するには、１〜２年以上の歳月を要する。これに対して、防食加工がされていない鉄線を使用した破断性線材７ａは、植生基材４や水と接触する環境にあり、時間の経過と共に錆びて徐々に腐食する。そして、生育によって肥大した根５１によって腐食した破断性線材７ａは切断され、根５１の太さに相当する網目が確保される。法枠用網材１は、樹木５が充分に生育するまでは、植生基材４の流出を防止する機能を必要とするが、樹木５が斜面６に根付けば植生基材４を保持することができるため、破断性線材７ａが破断しても問題はない。
【００１３】
図４は、縦材として破断性線材７ｂと波線材２ｂを交互に配置した実施例の斜視図である。ここでは横材に波線材２ａを配置している。縦材に破断性線材７ｂを配置した場合は、破断性線材７ｂが破断すると縦材による横材の拘束がなくなるため、横材が上下に拡がり易くなる。
破断性線材７ａ，７ｂの配置は、それよりも破断し難い縦材又は横材と交互に配置する構成に限定されるものではなく、数本置きに配置してもよい。また、破断性線材７ａ，７ｂを連続して配置して、大きな網目が形成されるように構成することもできる。さらに、縦材及び横材の双方の一部に破断性線材７ａ，７ｂを使用することもできる。
【実施例３】
【００１４】
実施例１では波線材２と直線材３を組み合わせて製作する法枠用網材１ａ，１ｂについて説明し、実施例２では破断性線材７を使用して製作する法枠用網材１ｃ，１ｄについて説明した。実施例３は、実施例１の波線材２又は直線材３の一部に破断性線材７を使用する例について説明する。
破断性線材７をいかなるパターンで配置するかは、実施例２と同様にして決めることができる。
線材が移動する構造と、破断し易い線材を組み合わせることによって、初期の段階では線材の移動によって網目を拡げ、時間が充分に経過してさらに根５１が肥大した場合は、線材が破断して更に大きな網目を確保できるという法枠用網材１を提供することができる。
【図面の簡単な説明】
【００１５】
【図１】波線材と直線材を組み合わせて製作した法枠用網材の実施例の斜視図。
【図２】法枠用網材を斜面上に設置した実施例の斜視図。
【図３】破断性線材を横材に使用した法枠用網材の実施例の斜視図。
【図４】破断性線材を縦材に使用した法枠用網材の実施例の斜視図。
【図５】従来の法枠用網材を斜面上に設置した実施例の斜視図。
【符号の説明】
【００１６】
１・・・法枠用網材
２・・・波線材
３・・・直線材
４・・・植生基材
５・・・樹木
６・・・斜面
７・・・破断性線材
【図１】
2005090021.tif 000003
【図２】
2005090021.tif 000004
【図３】
2005090021.tif 000005
【図４】
2005090021.tif 000006
【図５】
2005090021.tif 000007